(57)【要約】【課題】  天井や壁面などの被取付面(S)に添設される取付板(10)と、照明器具と電気的に接続される電極部が設けられる側面板と、電源コードとを有するダクトレールの取付構造において、部屋の模様替え、商品ディスプレイの変更や、パーティなどの演出に合わせて照明器具を自由に設置したり、照明器具の位置を自由に変更できるようにすること。【解決手段】  ダクトレール(1)の取付板(10)に、前記被取付面(S)にネジ止め固定された取付ネジ(2)の頭部(20)を挿通可能な大径孔(30)と、前記大径孔(30)に連通され前記取付ネジ(2)の頭部(20)を挿通しない小径孔(31)とを具備する取付孔(3)を形成させ、前記取付ネジ(2)に、前記頭部(20)と被取付面(S)との間に介装され前記小径孔(31)に対して移動自在に挿通する座金部材(5)と、前記座金部材(5)に着脱自在に取付けられ、前記取付孔(3)に移動不能に内嵌する移動阻止部材(6)とを具備する補助具(4)が取付けられている【選択図】  図２
0003109370.tif 000002
【実用新案登録請求の範囲】
【請求項１】
天井や壁面などの被取付面に添設される取付板と、前記取付板の幅方向の両端縁から直立されると共に照明器具のプラグ部と電気的に接続される電極部が長手方向に沿って設けられる側面板と、前記電極部に電気を供給する電源コードとを有するダクトレールの取付構造であって、
前記取付板には、前記被取付面にネジ止め固定された取付ネジの頭部を挿通可能な大径孔と、前記大径孔に長手方向に沿って連通され前記取付ネジの頭部を挿通しない小径孔とを具備する取付孔が形成されており、
前記取付ネジには、前記頭部と被取付面との間に介装され前記小径孔に対して長手方向に移動自在に挿通する座金部材と、
前記座金部材に着脱自在に取付けられ、前記取付孔に対して長手方向に移動不能に内嵌する移動阻止部材とを具備する補助具が取付けられていることを特徴とするダクトレールの取付構造。
【請求項２】
請求項１に記載のダクトレールの取付構造において、
前記座金部材は、前記取付ネジの頭部と略同形であり且つ前記頭部を当接支持する支持部と、前記支持部に連設され前記取付板の板厚と略同厚であり且つ前記取付孔の小径孔に対して長手方向に移動自在に内嵌する挿通部とからなる座金部と、
前記座金部の外周縁に連設され前記移動阻止部材に着脱自在に係合する係合部とを具備することを特徴とするダクトレールの取付構造。
【請求項３】
請求項１又は２に記載のダクトレールの取付構造において、
前記座金部材には、前記取付孔の大径孔に前記取付ネジの頭部を挿通させた際に前記小径孔又は前記小径孔に対向する前記大径孔の周縁部に形成される凹部に内嵌する回り止め部が連設されていることを特徴とするダクトレールの取付構造。
【請求項４】
請求項１から３のいずれかに記載のダクトレールの取付構造において、
前記移動阻止部材には、指先や爪を引っ掛けることができる引掛け部が形成されていることを特徴とするダクトレールの取付構造。
【請求項５】
請求項１から４のいずれかに記載のダクトレールの取付構造に用いられる補助具であって、
前記取付ネジの頭部と被取付面との間に介装され前記小径孔に対して長手方向に移動自在に挿通される合成樹脂製の座金部材と、
前記座金部材に着脱自在に取付けられ、前記取付孔に対して長手方向に移動不能に内嵌される合成樹脂製の移動阻止部材とを具備することを特徴とする補助具。
【考案の詳細な説明】
【技術分野】
【０００１】
本考案は、天井や壁面などに照明器具を設置するためのダクトレールの取付構造及びこれに用いられる補助具に関するものである。
【背景技術】
【０００２】
ダクトレールは、ディスプレイ効果を高めるために展示品や陳列品をスポット的に照らす小型の照明器具を、位置調整自在に取付けることができる電気配線器具であり、ショウルームや展示会場、小売店舗、ショーウィンドウなどの演出に広く利用されている。
前記ダクトレールは、通常、会場や店舗の天井や壁面などに固定されており、照明器具のプラグ部を前記ダクトレールの適当な位置に差し込んで、半回転させることにより容易に照明器具を取付け、取外しできる構成となっている。そのため、展示品や展示内容、商品コンセプト、演出方法に合わせて照明器具の位置，数，種類などを調整することにより、簡単に照明効果を変更することができる。
近年、家具の配置や生活スタイル，季節に合わせて照明器具の位置や数，種類，明るさなどを自由に調整できるように、リフォームの際に前記ダクトレールを天井や壁面に取付ける家庭も多く、家庭用の照明器具としてダクトレールを採用する新築住宅も年々増えてきている。
【考案の開示】
【考案が解決しようとする課題】
【０００３】
しかしながら、上記ダクトレールは所定の長さの直線又は曲線状の部材であり、照明器具は前記ダクトレールの長手方向のみに移動自在に取付けられるものであるから、前記ダクトレールの採用により、思い通りに照明器具を設置できるようになるわけではなく、照明器具の設置範囲は前記ダクトレールの取付け位置に限られるものである。
前記ダクトレールは、通常、天井や壁面に取付ネジにより固定されていたり、あらかじめ壁面材に埋め込まれた構成で取付けられているから移動が困難であり、工具などにより前記ダクトレールを取外せたとしても、移動先に電気を供給するための電気配線を整備する必要があるから容易に移動することはできない。
展示会場や小売店舗のように短い期間ごとに照明器具の位置を変更する場所では、照明器具の配置を想定して天井や壁面などにあらかじめ複数のダクトレールを取付けておくという方法も考えられるが、住宅の模様替えは長い期間ごとに行なわれるものであり（模様替えを行なわないことも考えられる）、模様替えを想定して複数のダクトレールを取付けておくという方法は実用的ではない。また、模様替えの度にダクトレールの位置を変更する電気工事を行うのも煩雑であると共に不経済である。
そのため、照明が必要なテーブルや机などの家具を前記ダクトレールの下から動かさずに模様替えを行うケースが多く、前記ダクトレールの採用により家具の配置の自由度が制限され、思い通りの模様替えを行うことができないという問題も生じている。
本考案は、上記事情を鑑みてなされたものであり、部屋の模様替え、商品ディスプレイの変更、パーティなどの演出に応じて照明器具を自由に設置したり、照明器具の位置を自由に変更できるようにすることを課題とする。
【課題を解決するための手段】
【０００４】
（１）請求項１に係る考案のダクトレールの取付構造は、『天井や壁面などの被取付面に添設される取付板と、前記取付板の幅方向の両端縁から直立されると共に照明器具のプラグ部と電気的に接続される電極部が長手方向に沿って設けられる側面板と、前記電極部に電気を供給する電源コードとを有するダクトレールの取付構造であって、
前記取付板には、前記被取付面にネジ止め固定された取付ネジの頭部を挿通可能な大径孔と、前記大径孔に長手方向に沿って連通され前記取付ネジの頭部を挿通しない小径孔とを具備する取付孔が形成されており、
前記取付ネジには、前記頭部と被取付面との間に介装され前記小径孔に対して長手方向に移動自在に挿通する座金部材と、
前記座金部材に着脱自在に取付けられ、前記取付孔に対して長手方向に移動不能に内嵌する移動阻止部材とを具備する補助具が取付けられている』ことを特徴とするものである。
これによれば、天井や壁面などの被取付面に座金部材を装着した取付ネジをあらかじめ固定しておくことにより、前記取付ネジの頭部を前記取付孔の大径孔に挿通させてダクトレールの取付板を前記被取付面に当接させた後、前記ダクトレールを長手方向にスライド移動させて前記取付ネジの頭部を小径孔に係合させることにより、前記ダクトレールを前記被取付面に取付けることができる。次に、前記取付孔に移動阻止部材を内嵌させることにより、前記ダクトレールの長手方向へのスライド移動が阻止され、前記取付ネジと小径孔とが係合状態に維持されるから、前記ダクトレールの不用意な脱落を防止することができる。
また、前記移動阻止部材を取外し、前記ダクトレールを逆方向にスライド移動させて前前記取付ネジの頭部と前記大径孔を合致させることにより、前記頭部と小径孔との係合が解除され、前記被取付面から前記ダクトレールを取外すことができる。
ここで、前記ダクトレールは電源コードを具備する構成であるから、前記被取付面に取付けた後、前記電源コードを電源コンセントに接続することにより前記電極部に電気を供給することができる。
【０００５】
（２）請求項２に係る考案のダクトレールの取付構造は、『前記座金部材は、前記取付ネジの頭部と略同形であり且つ前記頭部を当接支持する支持部と、前記支持部に連設され前記取付板の板厚と略同厚であり且つ前記取付孔の小径孔に対して長手方向に移動自在に内嵌する挿通部とからなる座金部と、
前記座金部の外周縁に連設され前記移動阻止部材に着脱自在に係合する係合部とを具備する』ことを特徴とする。
これによれば、前記被取付面にダクトレールを取付けたとき、前記取付孔の小径孔の周縁部が押圧状態で前記支持部と前記被取付面とにより挟持されるから、前記ダクトレールを前記被取付面に密着した状態で取付けることできる。
前記支持部を前記取付板の板厚と略同厚に設定することにより、前記座金部材を装着した状態で前記被取付面に前記取付ネジをネジ止めするだけで、前記支持部と被取付面との間にスライド移動により前記取付板を挿入可能であり且つ前記取付板を押圧状態で挟持し得る隙間が形成される。そのため、前記被取付面への前記取付ネジの固定が容易である。また、前記係合部が前記取付ネジの外側に突出されているから、前記座金部材への前記移動阻止部材の取付けが容易である。
ここで、前記移動阻止部材と係合部との係合手段としては、前記移動阻止部材の弾性変形を利用したものや、バヨネット式など指先の簡単な操作で着脱できる構成のものが考えられる。
【０００６】
（３）請求項３に係る考案のダクトレールの取付構造は、『前記座金部材には、前記取付孔の大径孔に前記取付ネジの頭部を挿通させた際に前記小径孔又は前記小径孔に対向する前記大径孔の周縁部に形成される凹部に内嵌する回り止め部が連設されている』ことを特徴とする。
これによれば、前記回り止め部と前記小径孔又は凹部との嵌合により前記取付孔の姿勢が前記ダクトレールを長手方向にスライド自在に位置決めされると共に前記頭部に対する回動も防止されるから、前記取付孔を取付ネジに挿通させた後、前記係止孔の姿勢を調整することなく、前記ダクトレールを長手方向にスムーズにスライド移動させることができる。
【０００７】
（４）請求項４に係る考案のダクトレールの取付構造は、『前記移動阻止部材には、指先や爪を引っ掛けることができる引掛け部が形成されている』ことを特徴とする。
これによれば、前記移動阻止部材の取外しに工具などの道具が不要であるから、前記ダクトレールの取外し作業が容易である。
ここで、前記引っ掛け部としては、前記移動阻止部材の周壁面に爪先を引っ掛け可能に形成された溝部や、前記移動阻止部材の周壁面又は頂面に指先や爪先を引っ掛け可能に連設された舌片や突起などが考えられる。
【０００８】
（５）請求項５に係る考案の補助具は、『前記取付ネジの頭部と被取付面との間に介装され前記小径孔に対して長手方向に移動自在に挿通される合成樹脂製の座金部材と、
前記座金部材に着脱自在に取付けられ、前記取付孔に対して長手方向に移動不能に内嵌される合成樹脂製の移動阻止部材とを具備する』ことを特徴とする。
これによれば、前記被取付面に前記補助具を装着させた前記取付ネジを固定しておくことにより、前記移動阻止部材を取外した後、前述の請求項１の手順により、前記被取付面に前記ダクトレールを取付けることができる。
また、前記ダクトレールを取外した後は、前記移動阻止部材を前記取付ネジに取付けた状態で保存することができる。
【考案の効果】
【０００９】
以上のように、請求項１に係る考案によれば、天井や壁面などの被取付面にダクトレールを取付けるためのダクトレールの取付構造において、前記ダクトレールの取付板に取付ネジの頭部を挿通可能な大径孔と前記頭部を挿通しない小径孔とを具備する取付孔を形成させ、前記取付ネジに前記取付孔に対して長手方向に移動自在に挿通される座金部材と、前記座金部材に着脱自在に取付けられ前記取付孔に対して長手方向に移動不能に内嵌される移動阻止部材とを具備する補助具を取付ける構成とすることにより、前記取付板の係止孔に取付ネジの頭部を挿通、係合させることで前記ダクトレールを取付けることができるから、前記ダクトレールの取付け作業が容易である。また、同様にして、前記ダクトレールを容易に取外すこともできる。
これより、部屋の模様替え、商品ディスプレイの変更、パーティなどの演出に応じて、前記被取付面に前記ダクトレールを取付けたり、取外したり、取付け位置を移動することにより、照明器具を自由に設置したり、照明器具の位置を自由に変更することができる。
また、前記座金部材に移動阻止部材を取付けることにより、前記ダクトレールの不用意な脱落を防止できるから、前記ダクトレールの取付け状態が安定すると共に安全である。
【００１０】
請求項２に係る考案によれば、取付ネジの頭部を当接支持する支持部と取付孔の小径孔に移動自在に内嵌する挿通部とからなる座金部と、前記座金部に連設され前記移動阻止部材に着脱自在に係合する係合部とからなる座金部材とすることにより、前記ダクトレールを前記被取付面に密着した状態で取付けることできるから、ガタツキが少なく、前記ダクトレールの取付け状態が安定する。
また、前記被取付面への取付ネジの固定及び前記移動阻止部材の取付けが容易であるから、前記ダクトレールの前記被取付面への取付け作業が容易である。
請求項３に係る考案によれば、座金部材に取付ネジの頭部を取付孔の大径孔に挿通させた際に前記小径孔又は前記小径孔に対向する凹部に内嵌する回り止め部を連設することにより、取付ネジを前記取付孔に挿通させた後、前記係止孔の姿勢を調整することなく前記ダクトレールを長手方向にスムーズにスライド移動できるから、前記ダクトレールの取付けが容易である。
【００１１】
請求項４に係る考案によれば、移動阻止部材に引掛け部を形成させることにより、移動阻止部材の取外しに道具が不要であるから、前記ダクトレールの取外し作業が容易である。
請求項５に係る考案によれば、取付孔に対して長手方向に移動自在に前記取付ネジに挿通される合成樹脂製の座金部材と、前記座金部材に着脱自在に取付けられ、前記取付孔に移動不能に内嵌される合成樹脂製の移動阻止部材とを具備する構成とすることにより、前記ダクトレールを取付けた場合、取付けない場合のいずれにおいても、前記補助具は前記取付ネジに取付けられており、前記ダクトレールを取付けようとする際に前記取付ネジに前記補助具を取付ける必要がないから、前記ダクトレールの取付け作業が簡単である。また、不使用時に前記補助具が紛失することも防止することができる。
【考案を実施するための最良の形態】
【００１２】
以下に、本考案実施の形態について添付図面を参照しながら説明する。
図１には、本考案実施の形態の一例であるダクトレールの取付構造により天井面(S)に取付けられたダクトレール(1)を示している。
この例のものでは、前記天井面(S)に所定の間隔を空けてネジ止め固定された２本の取付ネジ(2)と、直線状のダクトレール(1)の取付板(10)の両端部にそれぞれ形成された取付孔(3)と、前記取付ネジ(2)の装着された補助具(4)とにより前記ダクトレール(1)を前記天井面(S)に取付けている。
前記ダクトレール(1)は、前記天井面(S)に当接される平板状の取付板(10)と、前記取付板(10)の幅方向の両端縁から直立される一対の側面板(11)からなるレール本体と、前記側面板(11)に長手方向に沿って取付けられ照明器具(7)のプラグ部(70)に電気を供給する電極部(12)と、前記電極部(12)に接続するように前記レール本体の一方の端部に取付けられた電源コード(13)と、前記レール本体の他方の端部に嵌着されるエンドキャップ(15)とから構成されている。
【００１３】
前記取付板(10)には、図４に示されるように、前記取付ネジ(2)の頭部(20)を挿通可能な大径孔(30)と、前記大径孔(30)に前記ダクトレール(1)の長手方向に沿って連通されると共に、前記取付ネジ(2)の頭部(20)を挿通しない細長い小径孔(31)とからなる取付孔(3)が形成されている。
前記補助具(4)は、図２に示されるように、前記取付ネジ(2)のネジ部(21)に挿通保持され前記頭部(20)と被取付面(S)との間に介装される合成樹脂製の座金部材(5)と、前記座金部材(5)に突出形成された係合部(53)に着脱自在に係合され前記ダクトレール(1)の長手方向へのスライド移動を阻止する合成樹脂製の移動阻止部材(6)とから構成されている。
【００１４】
前記座金部材(5)は、図３及び図５に示されるように、前記取付ネジ(2)の頭部(20)と同じ円形であり前記頭部(20)に前記ネジ部(21)側から当接して支持する支持部(51)と、前記支持部(51)に連設され前記小径孔(31)に長手方向に移動自在に内嵌される挿通部(52)とからなる座金部(50)と、前記座金部(50)に連設され前記取付ネジ(2)を前記大径孔(30)に挿通した際に前記小径孔(31)の端部に幅方向に内嵌する回り止め部(54)と、前記回り止め部(54)を介して前記座金部(50)の周縁部に連設された係合部(53)と、前記係合部(53)と対向して前記支持部(51)の周縁に連設された舌片(56)とから構成されており、前記座金部(50)の中央には前記取付ネジ(2)を挿通するネジ孔(55)が貫通形成されている。
【００１５】
この例の前記座金部(50)の挿通部(52)は、前記支持部(51)よりも厚肉であり、前記ダクトレール(1)の取付板(10)と略同じ厚さに設定されている。また、前記舌片(56)は、前記小径孔(31)を挿通可能に形成されている。
前記係合部(53)は、前記小径孔(31)に挿通可能であると共に前記座金部(50)よりも前記取付ネジ(2)の頭部(20)側に突出するように形成されており、図３(b)及び図５に示されるように、後述する移動阻止部材(6)の係合突部(63)と着脱自在に弾性係合し得るように断面Ｔ字状に成形されている。
【００１６】
前記移動阻止部材(6)は、図２及び図６に示されるように、前記係止孔(3)の大径孔(30)に内嵌する円弧状の脚部(62)と、前記脚部(62)から長手方向に沿って直立する一対の側壁部(61)と、前記側壁部(61)の内側に対向配置され前記座金部材(5)の係合部(53)に着脱自在に係合する係合突部(63)と、前記側壁部(61)の一方の端部から前記脚部(62)の円弧に沿って延設され先端部が前記座金部材(5)の係合部(53)を当接支持するように前記側壁部(61)相互間に屈曲された当接部(65)と、前記側壁部(61)の上端部に結合された前記脚部(62)と同径の円形天板(60)と、前記円形天板(60)の周縁部から前記長手方向に延設された引掛け部(64)とから構成されている。
前記側壁部(61)は、相互間に前記座金部材(5)の係合部(53)を収容し得ると共に、前記係合突部(63)と前記係合部(53)とが着脱自在に係合し得るように設定されており、図６(a)に示されるように、前記側壁部(61)の他方の端部は前記座金部材(5)の係合部(53)及び回り止め部(54)を挿通し得るように開放部(66)が形成されている。
【００１７】
次に、実際に前記ダクトレール(1)を前記天井面(S)に取付ける手順について説明する。
前記天井面(S)にネジ止め固定された前記補助具(4)を装着した取付ネジ(2)から移動阻止部材(6)を取外して、図７(a)に示されるように、前記取付ネジ(2)に前記座金部材(5)のみが装着された状態とした後、前記取付ネジ(2)の頭部(20)を前記ダクトレール(1)の取付孔(3)の大径孔(30)に挿通させて、図７(b)に示されるように、前記ダクトレール(1)の取付板(10)を前記天井面(S)に当接させる。このとき、前記座金部材(5)に連設された係合部(53)，舌片(56)は前記小径孔(31)を挿通し、前記回り止め部(54)は前記小径孔(31)の端部に内嵌される。
この状態から、前記ダクトレール(1)を図７(b)中の矢印方向にスライド移動させて前記取付板(10)を前記座金部材(5)の支持部(51)と前記天井面(S)との隙間に挿入させて、図３(a)に示されるように、前記取付ネジ(2)の頭部(20)を前記小径孔(13)に係合させることにより、前記ダクトレール(1)を前記天井面(S)に取付けることができる。
【００１８】
次に、図７(c)に示されるように、前記ダクトレール(1)のスライド移動により前記大径孔(30)の位置に移動された前記係合部(53)に、前記移動阻止部材(6)の前記係合突部(63)と係合させて、図３(b)及び図７(d)に示されるように、前記大径孔(30)に前記脚部(62)が内嵌した状態に取付けることにより、前記ダクトレール(1)の長手方向へのスライド移動が阻止される。そのため、前記取付ネジ(2)と前記小径孔(31)との係合が不用意に解除される心配がなく、前記ダクトレール(1)の脱落を防止することができる。
また、上記取付け状態から、前記移動阻止部材(6)の前記引掛け部(64)に指先を引掛けて取外した後、前記ダクトレール(1)を前記取付ネジ(2)の頭部(20)と前記大径孔(30)とが一致する位置まで逆方向にスライド移動させて前記頭部(20)と小径孔(31)との係合を解除することにより、前記天井面(S)から前記ダクトレール(1)を取外すことができる。
【００１９】
このような構成であるから、照明器具(7)の設置が予定される天井や壁面に前記補助具(4)を装着した前記取付ネジ(2)をあらかじめネジ止め固定しておけば、部屋の模様替え、商品ディスプレイの変更、パーティの演出などで照明器具の設置や移動が必要となった場合に、特別な工具や電気工事を行なうことなく、容易に前記ダクトレール(1)を取付けたり、取付け位置を移動したりすることができる。これにより、前記ダクトレール(1)の取付け、移動により、照明器具を自由に設置したり、照明器具の位置を自由に変更することができる。
また、前前記ダクトレール(1)が不用意に脱落されることがないから、前記ダクトレール(1)の取付け状態が安定すると共に安全である。
この例のものでは、前記支持部(51)と挿通部(52)とからなる座金部材(5)を用いているから、図３(a)に示されるように、取付け状態において前記取付孔(3)の小径孔(31)の周縁部が前記支持部(51)と前記天井面(S)とにより押圧状態に挟持され、前記ダクトレール(1)を前記天井面(S)に密着した状態で取付けることできるから、ガタツキが少なく、前記ダクトレール(1)を安定的に取り付けることができる。
【００２０】
また、前記支持部(52)を前記取付板(10)の板厚と略同厚に設定しているから、前記取付ネジ(2)のネジ部(21)に前記座金部材(5)を挿通させて前記天井面(S)にネジ止め固定するだけで、前記取付板(10)を押圧状態で挟持し得る隙間を形成させることができるから、前記取付ネジ(2)の固定が容易である。
この例のものでは、前記座金部材(5)の係合部(53)が前記取付ネジ(2)の頭部(20)側に突出されているから、前記移動阻止部材(6)を容易に取付けることができる。また、前記移動阻止部材(6)に前記引掛け部(64)が連設されているから、前記移動阻止部材(6)を指先などにより容易に取外すことができる。これより、前記ダクトレールの取付け、取外し作業が容易である。
【００２１】
また、前記座金部材(5)に前記小径孔(31)に内嵌する回り止め部(54)が連設されているから、前記取付ネジ(2)に対する前記係止孔(3)の回動が防止され適正な姿勢に維持されるから、前記取付ネジ(2)の頭部(20)を前記大径孔(30)に挿通させた後、前記係止孔(3)の姿勢を調整することなく前記ダクトレール(1)をスライド移動させることができるから、前記ダクトレール(1)の取付けが容易である。
この例のものでは、前記ダクトレール(1)を取付けた状態、取付けない状態のいずれの場合においても、前記補助具(4)は前記取付ネジ(2)に取付けられる構成であるから、前記ダクトレール(1)を取付けようとするときに前記補助具(4)を取付ける必要がなく、前記ダクトレール(1)の取付け作業が簡単である。また、不使用時に前記補助具(4)が紛失することも防止することができる。
この例のものでは、前記座金部材(5)に前記小径孔(31)を挿通可能な係合部(53)と舌片(56)が長手方向に沿って直線状に形成されているから、前記取付ネジ(2)の頭部(20)を前記大径孔(30)に挿通する際に、前記係合部(53)及び舌片(56)を前記小径孔(31)に挿通させることにより前記取付ネジ(2)に前記係止孔(3)が適正な姿勢で挿通できるから、前記ダクトレール(1)の取付けが容易である。
【００２２】
＜その他＞
本考案のダクトレールの取付構造及びこれに用いられる補助具は前述の実施の形態に限られるものではない。
前述の例においては、前記取付孔(3)は、１つの大径孔(30)と長手方向に沿って前記大径孔(30)に連通する２つの小径孔(31)とから形成されているが、前記大径孔(30)に１つの小径孔(31)が連通されたダルマ状に形成されるものであってもよい。
前述の例においては、前記座金部材(5)の係合部(53)は、前記座金部(50)よりも前記取付ネジ(2)の頭部(20)側に突出するように前記座金部材(5)に連設されているが、前記取付板(10)に当接する態様で前記座金部材(5)に連設されるものであってもよい。また、前記移動阻止部材(6)は、前記大径孔(30)のみに内嵌する構成となっているが、前記他方の小径孔(31)から前記大径孔(30)にわたり長手方向に内嵌することで前記取付孔(3)のスライド移動を阻止する構成のものであってもよい。
【００２３】
前述の例においては、前記回り止め部(54)は、前記取付ネジ(2)の頭部(20)が係合されない側の前記小径孔(31)に内嵌するように形成されているが、前記頭部(20)と係合される側の小径孔(31)に形成されるものであってもよく、また、前記頭部(20)が係合される小径孔(31)の対向する大径孔(30)の周縁部に切欠形成される小さな凹部に内嵌するように形成されるものであってもよい。
前述の例においては、前記ダクトレール(1)が取付けられない状態において、前記被取付面にネジ止め固定された取付ネジ(2)は前記頭部(20)が露出した状態となっているが、前記移動阻止部材(6)にカバー部材を連設させて前記頭部(20)を被覆する構成としてもよい。このような構成としたものでは、前記ダクトレール(1)を取付けない場合に、天井面(S)や壁面に前記取付ネジ(2)の頭部(20)が露出されて部屋の外観を損なうことがない。
【図面の簡単な説明】
【００２４】
【図１】本考案実施の形態に係るダクトレールの取付構造によるダクトレールの取付け状態を示す説明図である。
【図２】ダクトレールの取付構造の要部を示す断面図である。
【図３】(a)図２のＡ−Ａ断面図である。(b)図２のＢ−Ｂ断面図である。
【図４】ダクトレールの取付孔を示す平面図である。
【図５】(a)座金部材を示す平面図である。(b)座金部材を示す側面図である。
【図６】(a)移動阻止部材を示す底面図である。(b)移動阻止部材を示す側面図である。
【図７】ダクトレールの取付け手順を示す説明図である。
【符号の説明】
【００２５】
(1)   ダクトレール
(10)  取付板
(11)  側面板
(12)  電極部
(13)  電源コード
(2)   取付ネジ
(20)  頭部
(3)   係止孔
(30)  大径孔
(31)  小径孔
(4)   補助具
(5)   座金部材
(50)  座金部
(51)  支持部
(52)  挿通部
(53)  係合部
(54)  回り止め部
(6)   移動阻止部材
(7)   照明器具
(S)   天井面（被取付面）
【図１】
0003109370.tif 000003
【図２】
0003109370.tif 000004
【図３】
0003109370.tif 000005
【図４】
0003109370.tif 000006
【図５】
0003109370.tif 000007
【図６】
0003109370.tif 000008
【図７】
0003109370.tif 000009